(57)【要約】      （修正有）【課題】各相毎に複数のコンデンサを設けた場合でも、コンデンサ以外の他の機器の配置が制限されるのを抑制することが可能な電力変換装置を提供する。【解決手段】電力変換装置は、電力変換部と、フィルタ部２０と、フィルタ部３０と、を備える。フィルタ部３０は、コンデンサＣ３０と、バスバーＢ３０と、バスバーＢ５０と、を含む。複数のコンデンサＣ３０を、バスバーＢ５０の一方の面（Ｙ１側の面）と他方の面（Ｙ２側の面）とに接続された状態で、バスバーＢ５０が延びる方向であるＺ軸方向に垂直な方向であるＹ軸方向から見て、互いに重なるように設ける。【選択図】図２
2019154179.tif 000002
【特許請求の範囲】
【請求項１】
入力側または出力側の少なくともいずれかに接続されるフィルタ部を備える電力変換装置であって、
前記フィルタ部は、
複数のコンデンサと、
前記複数のコンデンサの一方側の端子が接続される接続部を有する第１バスバーと、を備え、
前記複数のコンデンサは、前記第１バスバーの一方の面と他方の面とに接続された状態で、前記第１バスバーが延びる方向である第１方向に垂直な方向である第２方向から見て、互いに重なるように設けられている、電力変換装置。
【請求項２】
前記第１バスバーの一方の面に接続される前記コンデンサと、前記第１バスバーの他方の面に接続される前記コンデンサとは、前記第２方向から見て、互いに重なるように、前記第１バスバーの異なる位置に設けられた前記接続部に接続されている、請求項１に記載の電力変換装置。
【請求項３】
前記第１バスバーの一方の面に接続される前記コンデンサと、前記第１バスバーの他方の面に接続される前記コンデンサとは、前記第２方向から見て、互いに重なるように、前記第１バスバーの一方の面と他方の面とに互い違いに並ぶように接続されている、請求項２に記載の電力変換装置。
【請求項４】
前記フィルタ部は、前記複数のコンデンサの他方側の端子に接続されるＵ字状の第２バスバーをさらに含む、請求項１〜３のいずれか１項に記載の電力変換装置。
【請求項５】
前記第２バスバーは、前記第１バスバーの一方の面に接続される前記コンデンサの他方側の端子と接続され前記第１方向に延びる一方側の部分と、前記第１バスバーの他方の面に接続される前記コンデンサの他方側の端子と接続され前記第１方向に延びる他方側の部分と、前記一方側の部分の一方側の端部と前記他方側の部分の一方側の端部とを接続するように、前記第２方向に延びる接続部分とを含む、請求項４に記載の電力変換装置。
【請求項６】
前記フィルタ部は、リアクトルをさらに含み、
前記リアクトルは、前記第２バスバーに接続されている、請求項４または５に記載の電力変換装置。
【請求項７】
前記第１バスバーは、各相毎に設けられており、
各相毎に設けられている前記第１バスバーと、前記第１バスバーに接続されている同一相の前記複数のコンデンサとを含む組は、前記第１方向および前記第２方向と直交する第３方向に複数並ぶように配置されている、請求項１〜６のいずれか１項に記載の電力変換装置。
【請求項８】
前記第１バスバーの一方の面に接続される前記コンデンサと、前記第１バスバーの他方の面に接続される前記コンデンサとは、前記第１バスバーが延びる前記第１方向である上下方向に垂直な方向である前記第２方向から見て、互いに重なるように、前記第１バスバーに接続されている、請求項１〜７のいずれか１項に記載の電力変換装置。
【請求項９】
前記フィルタ部は、前記電力変換部の出力側に接続された出力側のフィルタ部である、請求項１〜８のいずれか１項に記載の電力変換装置。
【発明の詳細な説明】
【技術分野】
【０００１】
この発明は、電力変換装置に関し、特に、電力変換部の入力側または出力側の少なくともいずれかに接続されるフィルタ部を備える電力変換装置に関する。
【背景技術】
【０００２】
従来、電力変換部の入力側または出力側の少なくともいずれかに接続されるフィルタ部を備える電力変換装置が知られている（たとえば、特許文献１参照）。
【０００３】
上記特許文献１には、電力変換部と、電力変換部の入力側に接続される入力コンデンサおよび入力リアクトルと、電力変換部の出力側に接続される出力コンデンサおよび出力リアクトルと、を備える電力変換装置が開示されている。上記特許文献１の電力変換装置では、入力コンデンサおよび出力コンデンサは、それぞれ、各相（Ｕ相、Ｖ相、Ｗ相）毎に、板状の電力線（バスバー）を介して、入力フィルタ部および出力フィルタ部と接続されている。上記特許文献１の電力変換装置では、入力コンデンサおよび入力リアクトルが入力側のフィルタ部として機能し、出力コンデンサおよび出力リアクトルが出力側のフィルタ部として機能する。
【先行技術文献】
【特許文献】
【０００４】
【特許文献１】特開２０１８−２６９７０号公報
【発明の概要】
【発明が解決しようとする課題】
【０００５】
ここで、上記特許文献１のような従来の電力変換装置において、各相毎に設けられるコンデンサが複数のコンデンサにより構成されている場合がある。この場合、同一相の複数のコンデンサは、１つの板状のバスバーの同一の面に対して直線状に並べて配置される場合がある。この場合、電力変換装置の内部において、同一相の複数のコンデンサを配置するために、同一相の複数のコンデンサが並ぶ方向に少なくとも複数のコンデンサの数分のスペースが必要になる。このため、同一相の複数のコンデンサが１つの板状のバスバーの同一の面に対して直線状に並べて配置される従来の電力変換装置では、同一相の複数のコンデンサが並ぶ方向のスペースが大きくなることに起因して、コンデンサ以外の他の機器の配置が制限されるという問題点がある。
【０００６】
この発明は、上記のような課題を解決するためになされたものであり、この発明の１つの目的は、各相毎に複数のコンデンサを設けた場合でも、コンデンサ以外の他の機器の配置が制限されるのを抑制することが可能な電力変換装置を提供することである。
【課題を解決するための手段】
【０００７】
上記目的を達成するために、この発明の一の局面による電力変換装置は、入力側または出力側の少なくともいずれかに接続されるフィルタ部を備える電力変換装置であって、フィルタ部は、複数のコンデンサと、複数のコンデンサの一方側の端子が接続される接続部を有する第１バスバーと、を備え、複数のコンデンサは、第１バスバーの一方の面と他方の面とに接続された状態で、第１バスバーが延びる方向である第１方向に垂直な方向である第２方向から見て、互いに重なるように設けられている。
【０００８】
この発明の一の局面による電力変換装置では、上記のように、複数のコンデンサを、第１バスバーの一方の面と他方の面とに接続された状態で、第１バスバーが延びる方向である第１方向に垂直な方向である第２方向から見て、互いに重なるように設ける。これにより、複数のコンデンサを、第１バスバーの一方の面または他方の面のみに第１方向に直線状に並ぶように配置させる場合と比較して、複数のコンデンサが第２方向から見て互いに重なる分、複数のコンデンサが並ぶ第１方向のスペースを小さくすることができる。その結果、各相毎に複数のコンデンサを設ける場合でも、第１方向のスペースが大きくなるのを抑制することができるので、コンデンサ以外の他の機器の配置が制限されるのを抑制することができる。
【０００９】
上記一の局面による電力変換装置において、好ましくは、第１バスバーの一方の面に接続されるコンデンサと、第１バスバーの他方の面に接続されるコンデンサとは、第２方向から見て、互いに重なるように、第１バスバーの異なる位置に設けられた接続部に接続されている。このように構成すれば、第１バスバーの一方の面に接続されるコンデンサの接続端子と、第１バスバーの他方の面に接続されるコンデンサの接続端子とが干渉するのを抑制することができるので、第１バスバーの一方の面と他方の面とに、容易に、コンデンサを配置することができる。
【００１０】
この場合、好ましくは、第１バスバーの一方の面に接続されるコンデンサと、第１バスバーの他方の面に接続されるコンデンサとは、第２方向から見て、互いに重なるように、第１バスバーの一方の面と他方の面とに互い違いに並ぶように接続されている。このように構成すれば、たとえば、一方の面に接続される複数のコンデンサが第１方向の一方側に偏って配置され、他方の面に接続される複数のコンデンサが第１方向の他方側に偏って配置されている場合と異なり、複数のコンデンサが、第２方向から見て、互いに重なる部分を効率的に大きくすることができる。
【００１１】
上記一の局面による電力変換装置において、好ましくは、フィルタ部は、複数のコンデンサの他方側の端子に接続されるＵ字状の第２バスバーをさらに含む。このように構成すれば、第１バスバーの一方の面および他方の面にそれぞれ接続されたコンデンサの他方側の端子は第１バスバーに対して互いに反対方向を向くので、Ｕ字状の第２バスバーの対向する部分により、第１バスバーの一方の面および他方の面にそれぞれ一方側の端子が接続された複数のコンデンサの他方側の端子を容易に第２バスバーに接続することができる。
【００１２】
この場合、好ましくは、第２バスバーは、第１バスバーの一方の面に接続されるコンデンサの他方側の端子と接続され第１方向に延びる一方側の部分と、第１バスバーの他方の面に接続されるコンデンサの他方側の端子と接続され第１方向に延びる他方側の部分と、一方側の部分の一方側の端部と他方側の部分の一方側の端部とを接続するように、第２方向に延びる接続部分とを含む。このように構成すれば、第２方向に延びる接続部分により、コンデンサを迂回しながら第１方向に延びる一方側の部分と他方側の部分とを容易に接続することができる。
【００１３】
上記フィルタ部が第２バスバーを含む構成において、好ましくは、フィルタ部は、リアクトルをさらに含み、リアクトルは、第２バスバーに接続されている。このように構成すれば、複数のコンデンサが、第２方向から見て、互いに重なることによりコンデンサ以外の他の機器の配置が制限されるのが抑制されているので、リアクトルを容易に配置することができる。
【００１４】
上記一の局面による電力変換装置において、好ましくは、第１バスバーは、各相毎に設けられており、各相毎に設けられている第１バスバーと、第１バスバーに接続されている同一相の複数のコンデンサとを含む組は、第１方向および第２方向と直交する第３方向に複数並ぶように配置されている。このように構成すれば、第１バスバーと同一相の複数のコンデンサとの組みが、第１方向に隣り合うように配置される場合と異なり、第１方向のスペースが大きくなるのを効果的に抑制することができる。
【００１５】
上記一の局面による電力変換装置において、好ましくは、第１バスバーの一方の面に接続されるコンデンサと、第１バスバーの他方の面に接続されるコンデンサとは、第１バスバーが延びる第１方向である上下方向に垂直な方向である第２方向から見て、互いに重なるように、第１バスバーに接続されている。このように構成すれば、複数のコンデンサを、第１バスバーの一方の面または他方の面のみに上下方向に直線状に並ぶように配置させる場合と比較して、複数のコンデンサが第２方向から見て互いに重なる分、複数のコンデンサが並ぶ上下方向のスペースを小さくすることができる。その結果、各相毎に複数のコンデンサを設ける場合でも、上下方向のスペースが大きくなるのを抑制することができるので、各相毎に設けられた複数のコンデンサの上側または下側におけるコンデンサ以外の他の機器の配置が制限されるのを抑制することができる。
【００１６】
上記一の局面による電力変換装置において、好ましくは、フィルタ部は、電力変換部の出力側に接続された出力側のフィルタ部である。ここで、出力側のフィルタ部のコンデンサの数が、入力側のフィルタ部のコンデンサの数よりも多い場合がある。このように、出力側のフィルタ部のコンデンサの数が多い場合に、出力側のフィルタ部の複数のコンデンサを第２方向から見て互いに重なるように設けることは、第１方向のスペースが大きくなるのを抑制する点において特に有効である。
【発明の効果】
【００１７】
本発明によれば、上記のように、各相毎に複数のコンデンサを設けた場合でも、コンデンサ以外の他の機器の配置が制限されるのを抑制することができる。
【図面の簡単な説明】
【００１８】
【図１】本発明の一実施形態による電力変換装置の回路構成図である。
【図２】本発明の一実施形態による電力変換装置におけるフィルタ部が備えるコンデンサおよびバスバーを示した斜視図である。
【図３】本発明の一実施形態による電力変換装置におけるフィルタ部が備えるコンデンサおよびバスバーを示した平面図である。
【図４】本発明の一実施形態による電力変換装置におけるフィルタ部が備えるコンデンサおよびバスバーを示した正面図である。
【図５】本発明の一実施形態による電力変換装置におけるフィルタ部が備えるコンデンサおよびバスバーを示した側面図である。
【図６】本発明の一実施形態の変形例による電力変換装置におけるフィルタ部が備えるコンデンサおよびバスバーを示した側面図である。
【発明を実施するための形態】
【００１９】
以下、本発明を具体化した実施形態を図面に基づいて説明する。
【００２０】
図１〜図５を参照して、本発明の一実施形態による電力変換装置１００の構成について説明する。なお、電力変換装置１００は、たとえば、データセンター等に設置される無停電電源装置（ＵＰＳ：Ｕｎｉｎｔｅｒｒｕｐｔｉｂｌｅ  Ｐｏｗｅｒ  Ｓｕｐｐｌｙ、または、ＰＣＳ：Ｐｏｗｅｒ  Ｃｏｎｄｉｔｉｏｎｉｎｇ  Ｓｙｓｔｅｍ）である。
【００２１】
（電力変換装置の回路構成）
まず、図１を参照して、電力変換装置１００の回路構成について説明する。図１に示すように、電力変換装置１００は、電力変換部１０と、フィルタ部２０と、フィルタ部３０と、を備えている。フィルタ部２０およびフィルタ部３０は、それぞれ、電力変換部１０の入力側および出力側に接続されている。言い換えると、フィルタ部２０およびフィルタ部３０は、それぞれ、入力側のフィルタ部および出力側のフィルタ部である。なお、電力変換装置１００は、三相（Ｕ相、Ｖ相、Ｗ相）の交流電力を変換するように構成されている。
【００２２】
電力変換部１０は、入力側のフィルタ部２０を介して、交流電力が入力されるように構成されている。また、電力変換部１０は、出力側のフィルタ部３０を介して、交流電力を出力するように構成されている。
【００２３】
入力側のフィルタ部２０は、リアクトルＬ２０と、コンデンサＣ２０と、を含む。リアクトルＬ２０およびコンデンサＣ２０は、それぞれ、各相（Ｕ相、Ｖ相、Ｗ相）毎に設けられている。
【００２４】
出力側のフィルタ部３０は、リアクトルＬ３０と、コンデンサＣ３０と、を含む。リアクトルＬ３０およびコンデンサＣ３０は、それぞれ、各相（Ｕ相、Ｖ相、Ｗ相）毎に設けられている。
【００２５】
図２に示すように、フィルタ部２０では、リアクトルＬ２０とコンデンサＣ２０とは、各相（Ｕ相、Ｖ相、Ｗ相）毎に設けられたバスバーＢ２０を介して、各相毎に接続されている。また、フィルタ部３０では、リアクトルＬ３０とコンデンサＣ３０とは、各相毎に設けられたバスバーＢ３０を介して、各相毎に接続されている。また、コンデンサＣ２０とコンデンサＣ３０とは、Ｎ側（負側）において、バスバーＢ４０、バスバーＢ１１およびバスバーＢ５０を介して接続されている。なお、バスバーＢ３０およびバスバーＢ５０は、それぞれ、特許請求の範囲の「第２バスバー」および「第１バスバー」の一例である。
【００２６】
（フィルタ部の構成）
次に、図２〜図５を参照して、フィルタ部２０およびフィルタ部３０の構成について説明する。フィルタ部２０およびフィルタ部３０は、電力変換装置１００の筐体（図示しない）の内部に設けられている。以下の説明では、筐体の左右方向、前後方向および上下方向を、それぞれ、Ｘ軸方向、Ｙ軸方向およびＺ軸方向とする。また、筐体の左方向（左側）、右方向（右側）、前方向（前面側）、後方向（背面側）、上方向（上側）および下方向（下側）を、それぞれ、Ｘ１方向（Ｘ１側）、Ｘ２方向（Ｘ２側）、Ｙ１方向（Ｙ１側）、Ｙ２方向（Ｙ２側）、Ｚ１方向（Ｚ１側）およびＺ２方向（Ｚ２側）とする。なお、筐体の左右方向、前後方向および上下方向は、それぞれ、特許請求の範囲の「第３方向」、「第２方向」および「第１方向」の一例である。
【００２７】
図２に示すように、フィルタ部２０は、コンデンサＣ２０と、バスバーＢ２０と、バスバーＢ４０と、を含む。コンデンサＣ２０は、略円柱形状を有する。バスバーＢ２０およびバスバーＢ４０は、板状に形成されている。
【００２８】
コンデンサＣ２０は、Ｕ相のコンデンサＣ２１、Ｖ相のコンデンサＣ２２、および、Ｗ相のコンデンサＣ２３を含む。図４に示すように、コンデンサＣ２１、Ｃ２２およびＣ２３は、それぞれ、Ｚ軸方向に並ぶように２個ずつ設けられている。図３に示すように、コンデンサＣ２１と、コンデンサＣ２２と、コンデンサＣ２３とは、この順に、Ｘ１側からＸ２側に向かってＸ軸方向に並んでいる。図５に示すように、コンデンサＣ２０は、一方側の端子Ｃ２０ａおよび他方側の端子Ｃ２０ｂが、それぞれ、Ｙ１側およびＹ２側に配置されるように構成されている。
【００２９】
図２に示すように、バスバーＢ２０は、Ｕ相のバスバーＢ２１、Ｖ相のバスバーＢ２２、および、Ｗ相のバスバーＢ２３を含む。図３に示すように、バスバーＢ２１と、バスバーＢ２２と、バスバーＢ２３とは、この順に、Ｘ１側からＸ２側に向かってＸ軸方向に並んでいる。図５に示すように、バスバーＢ２０は、Ｚ軸方向に延びる部分を含む。コンデンサＣ２０のＹ２側の端子は、バスバーＢ２０のＺ軸方向に延びる部分のＹ１側の面に接続されている。電力変換装置１００では、バスバーＢ２０のＺ１側の端部は、リアクトルＬ２０に接続されるように構成されている。
【００３０】
図２に示すように、バスバーＢ４０は、Ｕ相、Ｖ相およびＷ相のコンデンサＣ２０にそれぞれ対応するように設けられたバスバーＢ４１、Ｂ４２およびＢ４３を含む。図３に示すように、バスバーＢ４１と、バスバーＢ４２と、バスバーＢ４３とは、この順に、Ｘ１側からＸ２側に向かってＸ軸方向に並んでいる。バスバーＢ４０は、Ｚ軸方向に延びる部分を含む。コンデンサＣ２０のＹ１側の端子は、バスバーＢ４０のＺ軸方向に延びる部分のＹ２側の面に接続されている。
【００３１】
図２に示すように、フィルタ部３０は、コンデンサＣ３０と、バスバーＢ３０と、バスバーＢ５０と、を含む。コンデンサＣ３０は、略円柱形状を有する。バスバーＢ３０およびバスバーＢ５０は、板状に形成されている。
【００３２】
コンデンサＣ３０は、各相毎（Ｕ相、Ｖ相、Ｗ相）に複数個ずつ設けられている。具体的には、図４に示すように、コンデンサＣ３０は、Ｕ相のコンデンサＣ３１、Ｖ相のコンデンサＣ３２、および、Ｗ相のコンデンサＣ３３を含む。コンデンサＣ３１、Ｃ３２およびＣ３３は、それぞれ、４個ずつ設けられている。なお、コンデンサＣ３１、Ｃ３２およびＣ３３は、略同一の構造を有する。また、コンデンサＣ３０は、コンデンサＣ２０と略同一の構造を有する。
【００３３】
図５に示すように、コンデンサＣ３０は、一方側の端子Ｃ３０ａおよび他方側の端子Ｃ３０ｂが、それぞれ、Ｙ１側またはＹ２側に配置されるように構成されている。すなわち、電力変換装置１００では、コンデンサＣ３０の一方側の端子Ｃ３０ａと他方側の端子Ｃ３０ｂとを結ぶ方向は、Ｙ軸方向である。
【００３４】
図２に示すように、バスバーＢ３０は、Ｕ相のバスバーＢ３１、Ｖ相のバスバーＢ３２、およびＷ相のバスバーＢ３３を含む。図３に示すように、バスバーＢ３１と、バスバーＢ３２と、バスバーＢ３３とは、この順に、Ｘ１側からＸ２側に向かってＸ軸方向に並んでいる。図５に示すように、バスバーＢ３０は、コンデンサＣ３０の他方側の端子Ｃ３０ｂと接続されている。
【００３５】
図２に示すように、バスバーＢ５０は、各相（Ｕ相、Ｖ相、Ｗ相）毎に設けられている。具体的には、バスバーＢ５０は、Ｕ相のコンデンサＣ３０に対応するバスバーＢ５１、Ｖ相のコンデンサＣ３０に対応するバスバーＢ５２、および、Ｗ相のコンデンサＣ３０に対応するバスバーＢ５３を含む。バスバーＢ５１と、バスバーＢ５２と、バスバーＢ５３とは、この順に、Ｘ１側からＸ２側に向かってＸ軸方向に並んでいる。図５に示すように、バスバーＢ５０は、コンデンサＣ３０の一方側の端子Ｃ３０ａが接続される開孔部Ｂ５０ａを備えている。なお、開孔部Ｂ５０ａは、特許請求の範囲の「接続部」の一例である。
【００３６】
ここで、本実施形態では、複数のコンデンサＣ３０は、バスバーＢ５０の一方の面と他方の面とに接続された状態で、バスバーＢ５０が延びる方向であるＺ軸方向に垂直な方向であるＹ軸方向から見て、互いに重なるように設けられている。なお、電力変換装置１００では、バスバーＢ５０の一方の面および他方の面を、それぞれ、Ｙ１側の面およびＹ２側の面とする。
【００３７】
具体的には、各相毎（Ｕ相、Ｖ相、Ｗ相）に４個ずつ設けられたコンデンサＣ３０のうち、２個のコンデンサＣ３０が、バスバーＢ５０のＹ１側に配置され、残りの２個のコンデンサＣ３０が、バスバーＢ５０のＹ２側に配置されている。そして、バスバーＢ５０のＹ１側に配置されたコンデンサＣ３０のＹ２側の端子Ｃ３０ａが、バスバーＢ５０に形成された開孔部Ｂ５０ａに嵌合するように、バスバーＢ５０のＹ１側から接続されている。また、バスバーＢ５０のＹ２側に配置されたコンデンサＣ３０のＹ１側の端子Ｃ３０ａが、バスバーＢ５０に形成された開孔部Ｂ５０ａに嵌合するように、バスバーＢ５０のＹ２側から接続されている。
【００３８】
また、図５に示すように、本実施形態では、バスバーＢ５０の一方の面（Ｙ１側の面）に接続されるコンデンサＣ３０と、バスバーＢ５０の他方の面（Ｙ２側の面）に接続されるコンデンサＣ３０とは、Ｙ軸方向から見て、互いに重なるように、バスバーＢ５０の異なる位置に設けられた開孔部Ｂ５０ａに接続されている。言い換えると、バスバーＢ５０の一方の面（Ｙ１側の面）に接続されるコンデンサＣ３０と、バスバーＢ５０の他方の面（Ｙ２側の面）に接続されるコンデンサＣ３０とは、バスバーＢ５０が延びる方向であるＺ軸方向においてオーバラップするようにバスバーＢ５０に接続されている。
【００３９】
具体的には、バスバーＢ５０の一方の面（Ｙ１側の面）に接続されるコンデンサＣ３０と、バスバーＢ５０の他方の面（Ｙ２側の面）に接続されるコンデンサＣ３０とは、Ｙ軸方向から見て、互いに重なるように、バスバーＢ５０の一方の面（Ｙ１側の面）と他方の面（Ｙ２側の面）とに互い違いに並ぶように接続されている。すなわち、同一相の４個のコンデンサＣ３０は、下側（Ｚ２側）から上側（Ｚ１側）に向かって、バスバーＢ５０の一方側（Ｙ１側）、他方側（Ｙ２側）、一方側（Ｙ１側）、他方側（Ｙ２側）の順に配置されている。
【００４０】
以上の構成により、バスバーＢ５０の一方の面（Ｙ１側の面）または他方の面（Ｙ２側の面）のみにＺ軸方向に直線状に並ぶように配置させる場合と比較して、（（コンデンサＣ３０の外径）−端子の接続スペース）×（コンデンサＣ３０の並列数−１）／２の分だけ、複数のコンデンサＣ３０が並ぶＺ軸方向の長さを小さくすることが可能である。なお、電力変換装置１００では、「コンデンサＣ３０の外径」および「端子の接続スペース」は、それぞれ、コンデンサＣ３０のＺ軸方向の大きさ、および、コンデンサＣ３０の一方側の端子Ｃ３０ａのＺ軸方向の大きさである。また、「コンデンサＣ３０の並列数」は４である。
【００４１】
ここで、本実施形態では、バスバーＢ３０は、Ｕ字状に形成されている。具体的には、バスバーＢ３０は、表側部分Ｂ３０ａと、裏側部分Ｂ３０ｂと、接続部分Ｂ３０ｃと、を含む。表側部分Ｂ３０ａは、バスバーＢ５０の一方の面（Ｙ１側の面）に接続されるコンデンサＣ３０の他方側の端子Ｃ３０ｂと接続され、Ｚ軸方向に延びる。裏側部分Ｂ３０ｂは、バスバーＢ５０の他方の面（Ｙ２側の面）に接続されるコンデンサＣ３０の他方側の端子Ｃ３０ｂと接続され、Ｚ軸方向に延びる。接続部分Ｂ３０ｃは、表側部分Ｂ３０ａの一方側（Ｚ２側）の端部と裏側部分Ｂ３０ｂの一方側（Ｚ２側）の端部とを接続するように、コンデンサＣ３０の一方側の端子Ｃ３０ａと他方側の端子Ｃ３０ｂとを結ぶ第２方向（Ｙ軸方向）に延びる。なお、電力変換装置１００では、裏側部分Ｂ３０ｂのＺ１側の端部は、リアクトルＬ３０に接続されるように構成されている。なお、表側部分Ｂ３０ａおよび裏側部分Ｂ３０ｂは、特許請求の範囲の「一方側の部分」および「他方側の部分」の一例である。
【００４２】
また、本実施形態では、各相（Ｕ相、Ｖ相、Ｗ相）毎に設けられているバスバーＢ５０と、バスバーＢ５０に接続されている同一相の複数のコンデンサＣ３０とを含む組は、Ｚ軸方向およびＹ軸方向と直交するＸ軸方向に複数並ぶように配置されている。具体的には、図４に示すように、それぞれ４個ずつ設けられたコンデンサＣ２１と、コンデンサＣ２２と、コンデンサＣ２３とは、この順に、Ｘ１側からＸ２側に向かってＸ軸方向に並んでいる。また、上述したように、コンデンサＣ３１に接続されているバスバーＢ５１と、コンデンサＣ３２に接続されているバスバーＢ５２と、コンデンサＣ３３に接続されているバスバーＢ５３とは、この順に、Ｘ１側からＸ２側に向かってＸ軸方向に並んでいる。
【００４３】
なお、電力変換装置１００では、フィルタ部２０とフィルタ部３０とは、バスバーＢ１１を介して接続されている。バスバーＢ１１は、Ｘ軸方向に延びる部分を含む。バスバーＢ１１のＸ軸方向に延びる部分のＸ１側には、Ｚ軸方向に延びるバスバーＢ４０の下端部が接続されている。また、バスバーＢ１１のＸ軸方向に延びる部分のＸ２側には、Ｚ軸方向に延びるバスバーＢ５０の上端部が接続されている。これにより、コンデンサＣ２０およびコンデンサＣ３０は、それぞれ、バスバーＢ１１の上側（Ｚ１側）およびバスバーＢ１１の下側（Ｚ２側）に配置されている。すなわち、入力側のコンデンサＣ２０と出力側のコンデンサＣ３０とは、電力変換装置１００において、Ｚ軸方向にオーバラップしない状態で、上側（Ｚ１側）と下側（Ｚ２側）に配置されている。
【００４４】
また、電力変換装置１００は、バスバーＢ１１と電力変換部１０のＮ側（負側）とを接続するバスバーＢ１２を備えている。バスバーＢ１２は、Ｚ軸方向に延びるように設けられている。バスバーＢ１２の一方側（Ｚ２側）の端部は、バスバーＢ１１において、バスバーＢ４０が接続される位置よりもＸ２側、かつ、バスバーＢ５０が接続される位置よりもＸ１側の位置に接続されている。電力変換装置１００では、バスバーＢ１２の他方側（Ｚ１側）の端部は、電力変換部１０に接続されるように構成されている。
【００４５】
（実施形態の効果）
本実施形態では、以下のような効果を得ることができる。
【００４６】
本実施形態では、上記のように、複数のコンデンサＣ３０を、バスバーＢ５０の一方の面（Ｙ１側の面）と他方の面（Ｙ２側の面）とに接続された状態で、バスバーＢ５０が延びる方向であるＺ軸方向に垂直な方向であるＹ軸方向から見て、互いに重なるように設ける。これにより、複数のコンデンサＣ３０を、バスバーＢ５０の一方の面（Ｙ１側の面）または他方の面（Ｙ２側の面）のみにＺ軸方向に直線状に並ぶように配置させる場合と比較して、複数のコンデンサＣ３０がＹ軸方向から見て互いに重なる分、複数のコンデンサＣ３０が並ぶＺ軸方向のスペースを小さくすることができる。その結果、各相（Ｕ相、Ｖ相、Ｗ相）毎に複数のコンデンサＣ３０を設ける場合でも、Ｚ軸方向のスペースが大きくなるのを抑制することができるので、コンデンサＣ３０以外の他の機器の配置が制限されるのを抑制することができる。
【００４７】
また、本実施形態では、バスバーＢ５０の一方の面（Ｙ１側の面）に接続されるコンデンサＣ３０と、バスバーＢ５０の他方の面（Ｙ２側の面）に接続されるコンデンサＣ３０とを、Ｙ軸方向から見て、互いに重なるように、バスバーＢ５０の異なる位置に設けられた開孔部Ｂ５０ａに接続する。これにより、バスバーＢ５０の一方の面（Ｙ１側の面）に接続されるコンデンサＣ３０の接続端子と、バスバーＢ５０の他方の面（Ｙ２側の面）に接続されるコンデンサＣ３０の接続端子とが干渉するのを抑制することができるので、バスバーＢ５０の一方の面（Ｙ１側の面）と他方の面（Ｙ２側の面）とに、容易に、コンデンサＣ３０を配置することができる。
【００４８】
また、本実施形態では、バスバーＢ５０の一方の面（Ｙ１側の面）に接続されるコンデンサＣ３０と、バスバーＢ５０の他方の面（Ｙ２側の面）に接続されるコンデンサＣ３０とを、Ｙ軸方向から見て、互いに重なるように、バスバーＢ５０の一方の面（Ｙ１側の面）と他方の面（Ｙ２側の面）とに互い違いに並ぶように接続する。これにより、一方の面（Ｙ１側の面）に接続される複数のコンデンサＣ３０がＺ軸方向の一方側に偏って配置され、他方の面（Ｙ２側の面）に接続される複数のコンデンサＣ３０がＺ軸方向の他方側に偏って配置されている場合と異なり、複数のコンデンサＣ３０が、第２方向から見て、互いに重なる部分を効率的に大きくすることができる。
【００４９】
また、本実施形態では、フィルタ部３０は、複数のコンデンサＣ３０の他方側の端子Ｃ３０ｂに接続されるＵ字状のバスバーＢ３０を含む。これにより、バスバーＢ５０の一方の面（Ｙ１側の面）および他方の面（Ｙ２側の面）にそれぞれ接続されたコンデンサＣ３０の他方側の端子Ｃ３０ｂはバスバーＢ３０に対して互いに反対方向を向くので、Ｕ字状のバスバーＢ３０の対向する部分により、バスバーＢ５０の一方の面（Ｙ１側の面）および他方の面（Ｙ２側の面）にそれぞれ一方側の端子Ｃ３０ａが接続された複数のコンデンサＣ３０の他方側の端子Ｃ３０ｂを容易にバスバーＢ３０に接続することができる。
【００５０】
また、本実施形態では、バスバーＢ３０は、バスバーＢ５０の一方の面（Ｙ１側の面）に接続されるコンデンサＣ３０の他方側の端子Ｃ３０ｂと接続されＺ軸方向に延びる表側部分Ｂ３０ａと、バスバーＢ５０の他方の面（Ｙ２側の面）に接続されるコンデンサＣ３０の他方側の端子Ｃ３０ｂと接続されＺ軸方向に延びる裏側部分Ｂ３０ｂと、表側部分Ｂ３０ａの一方側の端部と裏側部分Ｂ３０ｂの一方側の端部とを接続するように、Ｙ軸方向に延びる接続部分Ｂ３０ｃと、を含む。これにより、Ｙ軸方向に延びる接続部分Ｂ３０ｃにより、コンデンサＣ３０を迂回しながらＺ軸方向に延びる表側部分Ｂ３０ａと裏側部分Ｂ３０ｂとを容易に接続することができる。
【００５１】
また、本実施形態では、フィルタ部３０は、リアクトルＬ３０を、バスバーＢ３０に接続する。これにより、複数のコンデンサＣ３０が、Ｙ軸方向から見て、互いに重なることによりコンデンサＣ３０以外の他の機器の配置が制限されるのが抑制されているので、リアクトルＬ３０を容易に配置することができる。
【００５２】
また、本実施形態では、バスバーＢ５０は、各相（Ｕ相、Ｖ相、Ｗ相）毎に設けられており、各相毎に設けられているバスバーＢ５０と、バスバーＢ５０に接続されている同一相の複数のコンデンサＣ３０とを含む組を、Ｚ軸方向およびＹ軸方向と直交するＸ軸方向に複数並ぶように配置する。これにより、バスバーＢ３０と同一相の複数のコンデンサＣ３０との組みが、Ｚ軸方向に隣り合うように配置される場合と異なり、Ｚ軸方向のスペースが大きくなるのを効果的に抑制することができる。
【００５３】
また、本実施形態では、バスバーＢ５０の一方の面（Ｙ１側の面）に接続されるコンデンサＣ３０と、バスバーＢ５０の他方の面（Ｙ２側の面）に接続されるコンデンサＣ３０とを、バスバーＢ５０が延びる方向である上下方向（Ｚ軸方向）に垂直な方向であるＹ軸方向から見て、互いに重なるように、バスバーＢ５０に接続する。これにより、複数のコンデンサＣ３０を、バスバーＢ５０の一方の面（Ｙ１側の面）または他方の面（Ｙ２側の面）のみに上下方向（Ｚ軸方向）に直線状に並ぶように配置させる場合と比較して、複数のコンデンサＣ３０がＹ軸方向から見て互いに重なる分、複数のコンデンサＣ３０が並ぶ上下方向のスペースを小さくすることができる。その結果、各相（Ｕ相、Ｖ相、Ｗ相）毎に複数のコンデンサＣ３０を設ける場合でも、上下方向のスペースが大きくなるのを抑制することができるので、各相毎に設けられた複数のコンデンサＣ３０の上側（Ｚ１側）または下側（Ｚ２側）におけるコンデンサＣ３０以外の他の機器の配置が制限されるのを抑制することができる。
【００５４】
また、本実施形態では、フィルタ部３０は、電力変換部１０の出力側に接続された出力側のフィルタ部３０である。これにより、フィルタ部３０のコンデンサＣ３０の数が、入力側のフィルタ部２０のコンデンサＣ２０の数よりも多い場合に、Ｚ軸方向のスペースが大きくなるのを抑制することができる。
【００５５】
［変形例］
今回開示された実施形態は、全ての点で例示であり制限的なものではないと考えられるべきである。本発明の範囲は上記実施形態の説明ではなく特許請求の範囲によって示され、さらに特許請求の範囲と均等の意味および範囲内での全ての変更（変形例）が含まれる。
【００５６】
たとえば、上記実施形態では、バスバーＢ５０の一方の面（Ｙ１側の面）に接続されるコンデンサＣ３０と、バスバーＢ５０の他方の面（Ｙ２側の面）に接続されるコンデンサＣ３０とを、Ｙ軸方向から見て、互いに重なるように、バスバーＢ５０の異なる位置に設けられた開孔部Ｂ５０ａに接続するように構成した例を示したが、本発明はこれに限られない。本発明では、バスバーＢ５０の一方の面（Ｙ１側の面）に接続されるコンデンサＣ３０と、バスバーＢ５０の他方の面（Ｙ２側の面）に接続されるコンデンサＣ３０とを、Ｙ軸方向から見て、互いに重なるようにした状態で、バスバーＢ５０の同じ位置に接続するものを含むように構成してもよい。
【００５７】
また、上記実施形態では、バスバーＢ５０の一方の面（Ｙ１側の面）に接続されるコンデンサＣ３０と、バスバーＢ５０の他方の面（Ｙ２側の面）に接続されるコンデンサＣ３０とを、Ｙ軸方向から見て、互いに重なるように、バスバーＢ５０の一方の面（Ｙ１側の面）と他方の面（Ｙ２側の面）とに互い違いに並ぶように接続するように構成した例を示したが、本発明はこれに限られない。本発明では、バスバーＢ５０の一方の面（Ｙ１側の面）に接続されるコンデンサＣ３０と、バスバーＢ５０の他方の面（Ｙ２側の面）に接続されるコンデンサＣ３０とを、Ｙ軸方向から見て、互いに重なるようにした状態で、バスバーＢ５０の一方の面（Ｙ１側の面）と他方の面（Ｙ２側の面）とに互い違いに並ばない部分を含むように接続するように構成してもよい。
【００５８】
また、上記実施形態では、入力側のコンデンサＣ２０を、各相（Ｕ相、Ｖ相、Ｗ相）毎にそれぞれ、２個ずつ設けるとともに、出力側のコンデンサＣ３０を、各相（Ｕ相、Ｖ相、Ｗ相）毎にそれぞれ、４個ずつ設ける例を示したが、本発明はこれに限られない。本発明では、コンデンサＣ２０およびコンデンサＣ３０の個数は、それぞれ、電力変換部１０に入力される電流または電力変換部１０から出力される電流の大きさに合わせて変更してもよい。
【００５９】
また、上記実施形態では、フィルタ部２０およびフィルタ部３０は、それぞれ、リアクトルＬ２０およびリアクトルＬ４０を含む例を示したが、本発明はこれに限られない。本発明では、フィルタ部２０およびフィルタ部３０のいずれかまたは両方が、リアクトルを備えないように構成してもよい。
【００６０】
また、上記実施形態では、コンデンサＣ２０およびコンデンサＣ３０が略円柱形状を有する例を示したが、本発明はこれに限られない。本発明では、たとえば、図６の変形例によるフィルタ部２３０に示すように、コンデンサが略箱型形状を有するように構成してもよい。なお、図６に示す上記実施形態の変形例によるフィルタ部２３０では、バスバーＢ２５０に接続されるコンデンサＣ２３０の一方側の端子Ｃ２３０ａおよびバスバーＢ２３０に接続されるコンデンサＣ２３０の他方側の端子Ｃ２３０ｂは、コンデンサＣ２３０の上端部に設けられているが、コンデンサＣ２３０の上端部以外の位置に設けてもよい。なお、バスバーＢ２３０およびバスバーＢ２５０は、それぞれ、特許請求の範囲の「第１バスバー」および「第２バスバー」の一例である。
【００６１】
また、上記実施形態では、入力側のコンデンサＣ２０と出力側のコンデンサＣ３０とを、それぞれ、電力変換装置１００において、上下方向（Ｚ軸方向）にオーバラップしないように、上側（Ｚ１側）と下側（Ｚ２側）とに配置させた例を示したが、本発明はこれに限られない。本発明では、入力側のコンデンサＣ２０と出力側のコンデンサＣ３０とを、電力変換装置１００において、上下方向（Ｚ軸方向）にオーバラップしないように、下側（Ｚ２側）と上側（Ｚ１側）とに配置させてもよい。また、コンデンサＣ２０およびコンデンサＣ３０を上下方向（Ｚ軸方向）でオーバラップするように配置させてもよい。
【００６２】
また、上記実施形態では、各相（Ｕ相、Ｖ相、Ｗ相）毎に設けられた入力側のコンデンサＣ２０（Ｃ２１、Ｃ２２、Ｃ２３）および出力側のコンデンサＣ３０（Ｃ３１、Ｃ３２、Ｃ３３）は、第３方向（Ｘ軸方向）に並ぶように配置させた例を示したが、本発明はこれに限られない。本発明では、入力側のコンデンサＣ２０（Ｃ２１、Ｃ２２、Ｃ２３）が並ぶ方向と、出力側のコンデンサＣ３０（Ｃ３１、Ｃ３２、Ｃ３３）が並ぶ方向とを異ならせてもよい。
【００６３】
また、上記実施形態では、電力変換装置１００の筐体の左右方向、前後方向および上下方向を、特許請求の範囲の「第３方向」、「第２方向」および「第１方向」とした例を示したが、本発明はこれに限られない。本発明では、上記実施形態のフィルタ部２０およびフィルタ部３０の構成全体を、たとえば、Ｘ軸方向、Ｙ軸方向またはＺ軸方向の少なくともいずれかの方向に回転させた構成としてもよい。
【符号の説明】
【００６４】
１０  電力変換部
３０  フィルタ部
１００  電力変換装置
Ｂ３０（Ｂ３１、Ｂ３２、Ｂ３３）、Ｂ２３０  バスバー（第２バスバー）
Ｂ３０ａ  表側部分（一方側の部分）
Ｂ３０ｂ  裏側部分（他方側の部分）
Ｂ３０ｃ  接続部分
Ｂ５０（Ｂ５１、Ｂ５２、Ｂ５３）、Ｂ２５０  バスバー（第１バスバー）
Ｂ５０ａ  開孔部（接続部）
Ｃ３０（Ｃ３１、Ｃ３２、Ｃ３３）、Ｃ２３０  コンデンサ
Ｃ３０ａ、Ｃ２３０ａ  （コンデンサの）一方側の端子
Ｃ３０ｂ、Ｃ２３０ｂ  （コンデンサの）他方側の端子
Ｌ３０  リアクトル
【図１】
2019154179.tif 000003
【図２】
2019154179.tif 000004
【図３】
2019154179.tif 000005
【図４】
2019154179.tif 000006
【図５】
2019154179.tif 000007
【図６】
2019154179.tif 000008